(57)【要約】【課題】  上部旋回体に対するフロント装置の脱着作業を容易にする。【解決手段】  フロント取付装置８は、上部旋回体４に支持ピン２２，２３を介して揺動可能に設けられ、各ブラケット側位置決め部位１３，１４を有する左ブラケット９と、支持ピン２２，２３を介してフロント支持部材７に揺動可能に設けられ、各ブラケット側位置決め部位２０，２１を有する右ブラケット１５と、各ブラケット９，１５間に挟まれフロント装置５が取付けられるアダプタ２４と、アダプタ２４に設けられ各ブラケット側位置決め部位１３，１４，２０，２１に係合される各アダプタ側位置決め部位２９，３０，３１，３２と、各ブラケット９，１５をアダプタ２４に固定する左固定部材３３、右固定部材３５とを備えている。【選択図】  図１
2019065520.tif 000002
【特許請求の範囲】
【請求項１】
自走可能な下部走行体と、前記下部走行体の上側に旋回可能に搭載され前側にフロント支持部材が設けられた上部旋回体と、前記上部旋回体の前側に配置されるフロント装置とからなり、
前記上部旋回体と前記フロント装置との間に設けられ、前記フロント装置を支持しつつ前記フロント支持部材に対し支持ピンを介して左，右方向に揺動可能に取付けられたフロント取付装置を備えてなる建設機械において、
前記フロント取付装置は、
前記上部旋回体の前記フロント支持部材に対して上，下方向に延びる前記支持ピンを介して左，右方向に揺動可能に設けられ、左ブラケット側位置決め部位を有する左ブラケットと、
前記左ブラケットと左，右方向で対面する位置に前記支持ピンを介して前記フロント支持部材に左，右方向に揺動可能に設けられ、右ブラケット側位置決め部位を有する右ブラケットと、
前記左ブラケットと前記右ブラケットとの間に挟まれると共に前記フロント装置が回動可能に取付けられるアダプタと、
前記アダプタの左，右両側に設けられ前記左，右のブラケット側位置決め部位にそれぞれ係合される左，右のアダプタ側位置決め部位と、
前記左，右のブラケット側位置決め部位と前記左，右のアダプタ側位置決め部位とを互いに係合させた状態で、前記左，右のブラケットを前記アダプタにそれぞれ取付け、取外し可能に固定する左，右の固定部材とを備えていることを特徴とする建設機械。
【請求項２】
前記左ブラケットと前記右ブラケットとのうちいずれか一方のブラケットと前記上部旋回体との間には、前記フロント装置を左，右方向に揺動するための揺動シリンダが設けられており、
前記左ブラケットと前記右ブラケットとのうちいずれか他方のブラケットと前記上部旋回体との間には、前記フロント装置の取付け、取外し作業時に、前記他方のブラケットの揺動を規制する揺動規制部材が設けられていることを特徴とする請求項１に記載の建設機械。
【請求項３】
前記左ブラケットは、水平方向に延びて前記支持ピンに接続された左横面板と、前記左横面板に上，下方向に延びて取付けられた左縦面板とからなり、
前記右ブラケットは、水平方向に延びて前記支持ピンに接続された右横面板と、前記左ブラケットの前記左縦面板と対面するように前記右横面板に上，下方向に延びて取付けられた右縦面板とからなり、
前記左縦面板と前記右縦面板とには、互いに対面する内側面に位置して前記ブラケット側位置決め部位がそれぞれ設けられていることを特徴とする請求項１に記載の建設機械。
【請求項４】
前記アダプタは、
前記フロント装置を構成するブームのフート部を挟んで対面する左挟持板および右挟持板と、
前記左，右の挟持板を間隔をもって連結する連結部材と、
前記左挟持板および前記右挟持板にそれぞれ設けられた前記左，右のアダプタ側位置決め部位とを備えていることを特徴とする請求項１に記載の建設機械。
【請求項５】
前記左，右の固定部材は、上，下方向に長尺な板体からなり、前記左，右のアダプタ側位置決め部位との間に前記左，右のブラケットを挟んだ状態で前記アダプタに対して締結部材を用いて取付け、取外し可能に取付けられる構成としたことを特徴とする請求項１に記載の建設機械。
【請求項６】
前記左，右の固定部材は、前記左，右のブラケットにそれぞれ一体的に設けられ、かつ前記左，右の固定部材は、前記アダプタに対して締結部材を用いてそれぞれ取付け、取外し可能に取付けられる構成としたことを特徴とする請求項１に記載の建設機械。
【発明の詳細な説明】
【技術分野】
【０００１】
本発明は、上部旋回体の前側に左，右方向に揺動可能にフロント装置が設けられた油圧ショベル等の建設機械に関する。
【背景技術】
【０００２】
一般に、建設機械の代表例となる油圧ショベルは、自走可能な下部走行体と、下部走行体の上側に旋回可能に搭載され、前側にフロント支持部材が設けられた上部旋回体と、上部旋回体の前側に配置されるフロント装置とにより構成されている。
【０００３】
ここで、油圧ショベルには、狭い作業現場等で作業を行うための小型の油圧ショベルがある。小型の油圧ショベルは、通常ミニショベルと呼ばれるもので、例えば、建物の内部での解体作業、狭い街路地での掘削作業に用いられる。小型の油圧ショベルは、上部旋回体とフロント装置との間に位置してフロント取付装置を備えている。このフロント取付装置は、スイングポストと呼ばれるもので、フロント装置を支持しつつフロント支持部材に対し支持ピンを介して左，右方向に揺動可能に取付けられている。
【０００４】
小型の油圧ショベルは、高層住宅の解体作業に用いられることがあり、エレベータに載せて上層階に移送される。この移送時には、上部旋回体にフロント装置が取付けられたままの状態では、油圧ショベルの重量、外形寸法の関係でエレベータに収まらないことがある。そこで、油圧ショベルは、上部旋回体（フロント取付装置）からフロント装置を取外し、車体と別々に移送できる構成となっている（例えば、特許文献１参照）。
【先行技術文献】
【特許文献】
【０００５】
【特許文献１】特開２０１６−１０２３５７号公報
【発明の概要】
【発明が解決しようとする課題】
【０００６】
ところで、特許文献１によるものでは、フロント装置は、フロント取付装置に対し、ピンによって回動可能に取付けられている。従って、フロント取付装置からフロント装置を取外したり、取付けたりする脱着作業を行う場合には、ピンが真直ぐに抜き差しできるように、フロント取付装置に対してフロント装置を正確に位置決めし、その姿勢を安定的に保持しなくてはならない。このために、クレーン等の昇降装置が無い作業現場では、フロント装置を安定的に保持するのが難しく、フロント装置の脱着作業に時間を要してしまうという問題がある。
【０００７】
本発明は上述した従来技術の問題に鑑みなされたもので、本発明の目的は、上部旋回体のフロント取付装置に対するフロント装置の脱着作業を容易に行うことができるようにした建設機械を提供することにある。
【課題を解決するための手段】
【０００８】
本発明は、自走可能な下部走行体と、前記下部走行体の上側に旋回可能に搭載され前側にフロント支持部材が設けられた上部旋回体と、前記上部旋回体の前側に配置されるフロント装置とからなり、前記上部旋回体と前記フロント装置との間に設けられ、前記フロント装置を支持しつつ前記フロント支持部材に対し支持ピンを介して左，右方向に揺動可能に取付けられたフロント取付装置を備えてなる建設機械において、前記フロント取付装置は、前記上部旋回体の前記フロント支持部材に対して上，下方向に延びる前記支持ピンを介して左，右方向に揺動可能に設けられ、左ブラケット側位置決め部位を有する左ブラケットと、前記左ブラケットと左，右方向で対面する位置に前記支持ピンを介して前記フロント支持部材に左，右方向に揺動可能に設けられ、右ブラケット側位置決め部位を有する右ブラケットと、前記左ブラケットと前記右ブラケットとの間に挟まれると共に前記フロント装置が回動可能に取付けられるアダプタと、前記アダプタの左，右両側に設けられ前記左，右のブラケット側位置決め部位にそれぞれ係合される左，右のアダプタ側位置決め部位と、前記左，右のブラケット側位置決め部位と前記左，右のアダプタ側位置決め部位とを互いに係合させた状態で、前記左，右のブラケットを前記アダプタにそれぞれ取付け、取外し可能に固定する左，右の固定部材とを備えている。
【発明の効果】
【０００９】
本発明によれば、上部旋回体のフロント取付装置に対するフロント装置の脱着作業を容易に行うことができる。
【図面の簡単な説明】
【００１０】
【図１】本発明の第１の実施の形態に適用される油圧ショベルを示す正面図である。
【図２】フロント装置とフロント取付装置を省略した油圧ショベルの前側部分を拡大して示す斜視図である。
【図３】上部旋回体の旋回フレームの前側部分とフロント装置のブームのフート部とフロント取付装置と揺動シリンダとを組立てた状態で上方から見た要部拡大の平面図である。
【図４】フロント取付装置の右ブラケットを開いて、左ブラケットからブームのフート部と一緒にアダプタを分離した状態を図３と同様位置から見た平面図である。
【図５】旋回フレームの前側部分とフロント装置のブームおよびブームシリンダとフロント取付装置とを組立てた状態で左斜め前側から見た要部拡大の斜視図である。
【図６】フロント取付装置の左ブラケットの揺動を２枚の固定部材を用いて規制した状態を図５と同様位置から見た斜視図である。
【図７】旋回フレームの前側部分とフロント装置のブームおよびブームシリンダとフロント取付装置とを組立てた状態で右斜め前側から見た要部拡大の斜視図である。
【図８】固定部材を取外してフロント取付装置の右ブラケットを開いてアダプタから分離した状態を図７と同様位置から見た斜視図である。
【図９】旋回フレームのフロント支持部材とフロント取付装置との取付状態を図１０中の矢示IX−IX方向から見た縦断面図である。
【図１０】旋回フレームのフロント支持部材とフロント取付装置の各ブラケットとアダプタとの取付状態を図９中の矢示X−X方向から見た横断面図である。
【図１１】フロント取付装置の左ブラケットを単体で左斜め前側から示す斜視図である。
【図１２】フロント取付装置の右ブラケットを単体で左斜め前側から示す斜視図である。
【図１３】フロント取付装置のアダプタを単体で左斜め前側から示す斜視図である。
【図１４】フロント取付装置のアダプタを単体で右斜め後側から示す斜視図である。
【図１５】固定部材を単体で示す斜視図である。
【図１６】本発明の第２の実施の形態による左固定部材を備えたフロント取付装置を、旋回フレームの前側部分とフロント装置のブームおよびブームシリンダと一緒に図５と同様位置から見た斜視図である。
【図１７】第２の実施の形態による右固定部材を備えたフロント取付装置を、旋回フレームの前側部分とフロント装置のブームおよびブームシリンダと一緒に図７と同様位置から見た斜視図である。
【図１８】本発明の第３の実施の形態による固定部材を、上部旋回体の旋回フレームの前側部分とフロント装置のブームのフート部と一緒に図３と同様位置から見た平面図である。
【発明を実施するための形態】
【００１１】
以下、本発明の実施の形態に係る建設機械の代表例として、クローラ式の小型の油圧ショベル、所謂、ミニショベルを例に挙げ、添付図面に従って詳細に説明する。
【００１２】
図１ないし図１５は本発明の第１の実施の形態を示している。建設機械としての油圧ショベル１は、後述のキャノピ４４を備えたキャノピ仕様のミニショベルを構成している。この油圧ショベル１は、左，右のクローラ２Ａを有する自走可能なクローラ式の下部走行体２と、下部走行体２上に旋回装置３を介して旋回可能に搭載された上部旋回体４と、上部旋回体４の前側に配置されたフロント装置５とにより構成されている。
【００１３】
フロント装置５は、例えば、土砂の掘削作業、建物の解体作業を行うものである。フロント装置５は、後述する旋回フレーム６のフロント支持部材７にフロント取付装置８を介して取付けられている。フロント装置５は、フロント取付装置８を構成するアダプタ２４の各ブラケット９，１５の上側部位に、基端側のフート部５Ａ１が俯仰動可能に取付けられたブーム５Ａと、ブーム５Ａの先端部に回動可能に取付けられたアーム５Ｂと、アーム５Ｂの先端部に回動可能に取付けられたバケット５Ｃと、これらを駆動するブームシリンダ５Ｄ、アームシリンダ５Ｅ、バケットシリンダ５Ｆとにより構成されている。なお、フロント装置５では、バケット５Ｃに交換して、グラップル、ブレーカ等（いずれも図示せず）の他の作業具を取付けることができる。また、ブームシリンダ５Ｄは、基端側がアダプタ２４の前側部位に取付けられ、先端側がブーム５Ａの途中部位に取付けられている。
【００１４】
ここで、フロント装置５は、旋回フレーム６のフロント支持部材７にフロント取付装置８を介して左，右方向に揺動可能に取付けられている。また、図４に示すように、フロント装置５は、フロント取付装置８のアダプタ２４と一緒にフロント支持部材７から簡単な作業で取外す（切離す）ことができる。
【００１５】
旋回フレーム６は、上部旋回体４の支持構造体を構成している。図３に示すように、旋回フレーム６は、前，後方向に延びた底板６Ａと、底板６Ａ上に左，右方向に間隔をもって前，後方向に延びつつ、前側に向けて互いに接近して立設された左縦板６Ｂ，右縦板６Ｃと、左縦板６Ｂ，右縦板６Ｃの前側に位置して各縦板６Ｂ，６Ｃ上を覆うように延びた上面板６Ｄと、前側に設けられた後述のフロント支持部材７とにより構成されている。
【００１６】
フロント支持部材７は、フロント取付装置８を支持するもので、前方に突出して設けられている。フロント支持部材７は、旋回フレーム６の底板６Ａ、左，右の縦板６Ｂ，６Ｃおよび上面板６Ｄの前側部位を含んでいる。即ち、図２、図３に示すように、フロント支持部材７は、上面板６Ｄの前側部分からなる舌片状の上板７Ａと、上板７Ａと上，下方向で対面するように、底板６Ａの前側部分からなる舌片状の下板７Ｂと、上板７Ａの下面側に設けられた上ボス７Ｃと、下板７Ｂの上面側に設けられた下ボス７Ｄとを備えている。
【００１７】
また、フロント支持部材７は、上板７Ａと上ボス７Ｃに亘って上，下方向に貫通した上ピン孔７Ｅと、上ピン孔７Ｅと同軸となるように下板７Ｂと下ボス７Ｄに亘って上，下方向に貫通した下ピン孔７Ｆとを有している。図９に示すように、上ピン孔７Ｅには、後述の上支持ピン２２が挿着され、下ピン孔７Ｆには、後述の下支持ピン２３が挿着されている。これにより、フロント支持部材７は、各支持ピン２２，２３を介してフロント取付装置８（フロント装置５）を左，右方向に揺動可能に支持することができる。
【００１８】
次に、本発明の特徴部分をなすフロント取付装置８の構成およびフロント装置５の脱着作業について説明する。
【００１９】
フロント取付装置８は、上部旋回体４とフロント装置５との間に設けられている。フロント取付装置８は、フロント装置５を支持しつつ、フロント支持部材７に対して各支持ピン２２，２３を介して左，右方向に揺動可能に取付けられている。図３ないし図１０に示すように、フロント取付装置８は、後述の左ブラケット９、左前ブラケット側位置決め部位１３、左上ブラケット側位置決め部位１４、右ブラケット１５、右前ブラケット側位置決め部位２０、右上ブラケット側位置決め部位２１、アダプタ２４、左前アダプタ側位置決め部位２９、左上アダプタ側位置決め部位３０、右前アダプタ側位置決め部位３１、右上アダプタ側位置決め部位３２、左固定部材３３、右固定部材３５および揺動規制部材３６を備えている。
【００２０】
左ブラケット９は、上部旋回体４を構成する旋回フレーム６のフロント支持部材７に対し、上，下方向に延びる各支持ピン２２，２３を介して左，右方向に揺動可能に設けられている。一方で、図６に示すように、左ブラケット９とフロント支持部材７との間に後述の揺動規制部材３６を取付けることにより、左ブラケット９は、揺動を規制することができる。この左ブラケット９の揺動規制状態でアダプタ２４（フロント装置５）の脱着作業が行われる。また、左ブラケット９は、左前ブラケット側位置決め部位１３と左上ブラケット側位置決め部位１４とを有している。
【００２１】
図１１に示すように、左ブラケット９は、上，下方向の上側に位置して水平方向に延びた左横面板１０と、上，下方向の下側に位置して水平方向に延びた左横面板１１と、左横面板１０および左横面板１１の左側に上，下方向に延びて取付けられた左縦面板１２とにより構成されている。
【００２２】
図９に示すように、左横面板１０と左横面板１１とは、左横面板１０がフロント支持部材７の上板７Ａに上側から対面し、左横面板１１がフロント支持部材７の下板７Ｂに下側から対面するように、上，下方向に間隔をもって平行に配置されている。そして、上側の左横面板１０には、上支持ピン２２が挿着されるピン孔１０Ａが上，下方向に貫通して設けられている。また、下側の左横面板１１には、下支持ピン２３が挿着されるピン孔１１Ａがピン孔１０Ａと同軸に上，下方向に貫通して設けられている。
【００２３】
左縦面板１２は、上，下方向に長尺な長方形状の板体からなり、その前側の上側寄り位置には、前側に突出した長方形状の前突出部１２Ａが設けられている。また、左縦面板１２の上側位置には、上側に突出した長方形状の上突出部１２Ｂが設けられている。前突出部１２Ａには、アダプタ２４側となる内側面（右側面）に位置して後述の左前ブラケット側位置決め部位１３が設けられている。上突出部１２Ｂには、内側面（右側面）に位置して後述の左上ブラケット側位置決め部位１４が設けられている。
【００２４】
さらに、左縦面板１２の上，下方向の中間部には、前，後方向に間隔をもって２個のねじ孔１２Ｃが板厚方向に貫通して設けられている。この２個のねじ孔１２Ｃは、左ブラケット９の揺動を規制するときに、左固定部材３３または右固定部材３５を取付けるためのもので、固定部材３３（３５）に設けられた２個の中央側ボルト挿通孔３３Ｂ（３５Ｂ）に対応している。
【００２５】
左前ブラケット側位置決め部位１３は、左ブラケット側位置決め部位を構成するもので、左縦面板１２の前突出部１２Ａに、右ブラケット１５の右縦面板１８に対面する内側面に位置して設けられている。左前ブラケット側位置決め部位１３は、上，下方向に延びる円弧状の凹溝として形成されている。図１０に示すように、凹円弧形状の左前ブラケット側位置決め部位１３は、アダプタ２４側に円柱として設けられた左前アダプタ側位置決め部位２９に左，右方向の左側から係合（嵌合）するものである。上，下方向に延びた左前ブラケット側位置決め部位１３と左前アダプタ側位置決め部位２９との凹凸による係合によって、アダプタ２４を前，後方向に位置決め（固定）することができる。
【００２６】
ここで、左前ブラケット側位置決め部位１３は、凹円弧形状とすることにより、円柱状の左前アダプタ側位置決め部位２９を正規位置に誘導するように嵌合することができる。これにより、左前ブラケット側位置決め部位１３と左前アダプタ側位置決め部位２９との位置ずれを吸収することができ、アダプタ２４を左ブラケット９に取付けるときの位置合せ作業を簡略化することができる。
【００２７】
左上ブラケット側位置決め部位１４は、左前ブラケット側位置決め部位１３と一緒に左ブラケット側位置決め部位を構成するもので、左縦面板１２の上突出部１２Ｂの内側面に位置して設けられている。左上ブラケット側位置決め部位１４は、前，後方向に延びる円弧状の凹溝として形成されている。左上ブラケット側位置決め部位１４の凹円弧形状は、アダプタ２４側に円柱として設けられた左上アダプタ側位置決め部位３０に左，右方向の左側から係合（嵌合）するものである。前，後方向に延びた左上ブラケット側位置決め部位１４と左上アダプタ側位置決め部位３０との凹凸による係合によって、アダプタ２４を上，下方向に位置決めすることができる。
【００２８】
ここで、左上ブラケット側位置決め部位１４は、左前ブラケット側位置決め部位１３と同様に凹円弧形状としたことにより、円柱状の左上アダプタ側位置決め部位３０を正規位置に誘導するように嵌合することができる。これにより、左上ブラケット側位置決め部位１４と左上アダプタ側位置決め部位３０との位置ずれを吸収でき、位置合せ作業を簡略化することができる。
【００２９】
右ブラケット１５は、左ブラケット９と左，右方向で対面する位置に、各支持ピン２２，２３を介してフロント支持部材７に左，右方向に揺動可能に設けられている。また、右ブラケット１５は、右前ブラケット側位置決め部位２０と右上ブラケット側位置決め部位２１とを有している。右ブラケット１５は、上，下方向の上側に位置して水平方向に延びた右横面板１６と、上，下方向の下側に位置して水平方向に延びた右横面板１７と、左ブラケット９の左縦面板１２と対面するように右横面板１６および右横面板１７の右側に上，下方向に延びて取付けられた右縦面板１８と、右縦面板１８の外側面（右側面）の下側寄り位置から右側に延びた上，下方向に離間した２枚の平行板からなるシリンダ取付板１９とにより構成されている。
【００３０】
図９に示すように、右横面板１６と右横面板１７とは、上側の右横面板１６がフロント支持部材７の上ボス７Ｃに下側から対面し、下側の右横面板１７がフロント支持部材７の下ボス７Ｄに上側から対面するように、上，下方向に間隔をもって平行に配置されている。そして、上側の右横面板１６には、上支持ピン２２が挿着されるピン孔１６Ａが上，下方向に貫通して設けられている。また、下側の右横面板１７には、下支持ピン２３が挿着されるピン孔１７Ａがピン孔１６Ａと同軸に上，下方向に貫通して設けられている。
【００３１】
右縦面板１８は、左縦面板１２と同様に、上，下方向に長尺な長方形状の板体からなり、その前側の上側寄り位置には、前側に突出した長方形状の前突出部１８Ａが設けられている。また、右縦面板１８の上側位置には、上側に突出した長方形状の上突出部１８Ｂが設けられている。前突出部１８Ａには、アダプタ２４側となる内側面（左側面）に位置して後述の右前ブラケット側位置決め部位２０が設けられている。上突出部１８Ｂには、内側面（左側面）に位置して後述の右上ブラケット側位置決め部位２１が設けられている。
【００３２】
さらに、シリンダ取付板１９には、上，下方向に貫通してピン孔１９Ａが設けられている。ピン孔１９Ａには、後述する揺動シリンダ３８のロッドを取付けるための取付ピン３８Ａが挿着される。
【００３３】
右前ブラケット側位置決め部位２０は、右ブラケット側位置決め部位を構成するもので、左前ブラケット側位置決め部位１３と同様に、右縦面板１８の前突出部１８Ａに、左ブラケット９の左縦面板１２に対面する内側面に位置して設けられている。右前ブラケット側位置決め部位２０は、上，下方向に延びる円弧状の凹溝として形成されている。図１０に示すように、右前ブラケット側位置決め部位２０の凹円弧形状は、アダプタ２４側に円柱として設けられた右前アダプタ側位置決め部位３１に左，右方向の右側から係合（嵌合）するものである。上，下方向に延びた右前ブラケット側位置決め部位２０と右前アダプタ側位置決め部位３１との凹凸による係合によって、アダプタ２４を前，後方向に位置決め（固定）することができる。
【００３４】
ここで、右前ブラケット側位置決め部位２０は、凹円弧形状とすることにより、円柱状の右前アダプタ側位置決め部位３１を正規位置に誘導するように嵌合することができる。これにより、右前ブラケット側位置決め部位２０と右前アダプタ側位置決め部位３１との位置ずれを吸収することができ、アダプタ２４を右ブラケット１５に取付けるときの位置合せ作業を簡略化することができる。
【００３５】
右上ブラケット側位置決め部位２１は、右前ブラケット側位置決め部位２０と一緒に右ブラケット側位置決め部位を構成するもので、右縦面板１８の上突出部１８Ｂの内側面に位置して設けられている。右上ブラケット側位置決め部位２１は、前，後方向に延びる円弧状の凹溝として形成されている。右上ブラケット側位置決め部位２１の凹円弧形状は、アダプタ２４側に円柱として設けられた右上アダプタ側位置決め部位３２に左，右方向の右側から係合（嵌合）するものである。前，後方向に延びた右上ブラケット側位置決め部位２１と右上アダプタ側位置決め部位３２との凹凸による係合によって、アダプタ２４を上，下方向に位置決めすることができる。
【００３６】
ここで、右上ブラケット側位置決め部位２１は、右前ブラケット側位置決め部位２０と同様に凹円弧形状としたことにより、円柱状の右上アダプタ側位置決め部位３２を正規位置に誘導するように嵌合することができる。これにより、右上ブラケット側位置決め部位２１と右上アダプタ側位置決め部位３２との位置ずれを吸収して位置合せ作業を簡略化することができる。
【００３７】
図９に示すように、上支持ピン２２および下支持ピン２３は、フロント支持部材７に対してフロント取付装置８を左，右方向に揺動可能に支持するものである。上支持ピン２２は、フロント支持部材７の上ピン孔７Ｅ、左ブラケット９を構成する左横面板１０のピン孔１０Ａおよび右ブラケット１５を構成する右横面板１６のピン孔１６Ａに挿着されている。また、下支持ピン２３は、フロント支持部材７の下ピン孔７Ｆ、左ブラケット９を構成する左横面板１１のピン孔１１Ａおよび右ブラケット１５を構成する右横面板１７のピン孔１７Ａに挿着されている。
【００３８】
アダプタ２４は、左ブラケット９と右ブラケット１５との間に挟まれることにより、各ブラケット９，１５と一体化（図５、図７参照）することができる。アダプタ２４には、フロント装置５のブーム５Ａとブームシリンダ５Ｄが回動可能に取付けられている。図１３、図１４に示すように、アダプタ２４は、左挟持板２５、右挟持板２６、上連結部材２７、下連結部材２８、左前アダプタ側位置決め部位２９、左上アダプタ側位置決め部位３０、右前アダプタ側位置決め部位３１および右上アダプタ側位置決め部位３２により構成されている。
【００３９】
左挟持板２５は、前板部２５Ａと上板部２５Ｂとを有する逆Ｌ字形状の厚肉な板体として形成されている。前板部２５Ａの後側位置には、左ブラケット９を構成する左縦面板１２の前突出部１２Ａが入り込む前切欠部２５Ｃが形成されている。前切欠部２５Ｃには、後述の左前アダプタ側位置決め部位２９が設けられている。また、上板部２５Ｂの下側位置には、左ブラケット９を構成する左縦面板１２の上突出部１２Ｂが入り込む上切欠部２５Ｄが形成されている。上切欠部２５Ｄには、後述の左上アダプタ側位置決め部位３０が設けられている。前板部２５Ａの後側位置には、前切欠部２５Ｃの上側位置と下側位置とに前，後方向に間隔をもって２個のねじ孔２５Ｅがそれぞれ設けられている。各ねじ孔２５Ｅには、後述する左固定部材３３を取付けるための固定ボルト３４が螺着される。
【００４０】
さらに、前板部２５Ａの前側位置には、右挟持板２６と対面する内側面（右側面）に位置してシリンダ取付ボス２５Ｆが設けられている。この上で、前板部２５Ａの前側位置には、後述のシリンダ取付ピン４０が挿着されるシリンダ用ピン孔２５Ｇがシリンダ取付ボス２５Ｆを貫通して設けられている。上板部２５Ｂの上側位置には、後述のブーム取付ピン３９が挿着されるブーム用ピン孔２５Ｈが板厚方向に貫通して設けられている。
【００４１】
右挟持板２６は、フロント装置５を構成するブーム５Ａのフート部５Ａ１を挟んで左挟持板２５と対面するものである。右挟持板２６は、基本的な構成が左挟持板２５と同様となっている。即ち、右挟持板２６は、前板部２６Ａ、上板部２６Ｂ、前切欠部２６Ｃ、上切欠部２６Ｄ、ねじ孔２６Ｅ、シリンダ取付ボス２６Ｆ、シリンダ用ピン孔２６Ｇおよびブーム用ピン孔２６Ｈを備えている。
【００４２】
上連結部材２７と下連結部材２８は、左挟持板２５と右挟持板２６とを間隔をもって連結する連結部材を構成している。上連結部材２７は、例えば、左，右方向に延びる円柱体からなっている。上連結部材２７は、左端部が左挟持板２５の前板部２５Ａと上板部２５Ｂとの境界位置に取付けられ、右端部が右挟持板２６の前板部２６Ａと上板部２６Ｂとの境界位置に取付けられている。
【００４３】
また、図１４に示すように、下連結部材２８は、例えば、左，右方向に延びる長方形状の板体からなっている。下連結部材２８は、左端部が左挟持板２５の前板部２５Ａの下部に取付けられ、右端部が右挟持板２６の前板部２６Ａの下部に取付けられている。
【００４４】
左前アダプタ側位置決め部位２９は、左挟持板２５の前切欠部２５Ｃを上，下方向に延びる円柱体からなり、その両端部が前板部２５Ａに一体的に固着されている。左前アダプタ側位置決め部位２９には、左ブラケット９を構成する左縦面板１２の前突出部１２Ａに設けられた凹溝状の左前ブラケット側位置決め部位１３を左側から嵌合することができる。
【００４５】
左上アダプタ側位置決め部位３０は、左挟持板２５の上切欠部２５Ｄを前，後方向に延びる円柱体からなり、その両端部が上板部２５Ｂに一体的に固着されている。左上アダプタ側位置決め部位３０には、左縦面板１２の上突出部１２Ｂに設けられた凹溝状の左上ブラケット側位置決め部位１４を左側から嵌合することができる。
【００４６】
右前アダプタ側位置決め部位３１は、右挟持板２６の前切欠部２６Ｃを上，下方向に延びる円柱体からなり、その両端部が前板部２６Ａに一体的に固着されている。右前アダプタ側位置決め部位３１には、右ブラケット１５を構成する右縦面板１８の前突出部１８Ａに設けられた凹溝状の右前ブラケット側位置決め部位２０を右側から嵌合することができる。
【００４７】
右上アダプタ側位置決め部位３２は、右挟持板２６の上切欠部２６Ｄを前，後方向に延びる円柱体からなり、その両端部が上板部２６Ｂに一体的に固着されている。右上アダプタ側位置決め部位３２には、右縦面板１８の上突出部１８Ｂに設けられた凹溝状の右上ブラケット側位置決め部位２１を右側から嵌合することができる。
【００４８】
図５に示すように、左固定部材３３は、左前ブラケット側位置決め部位１３と左前アダプタ側位置決め部位２９とを互いに係合させると共に、左上ブラケット側位置決め部位１４と左上アダプタ側位置決め部位３０とを互いに係合させた状態で、左ブラケット９をアダプタ２４の左挟持板２５に取付け、取外し可能に固定する固定部材を構成している。ここで、左固定部材３３は、後述の右固定部材３５と組合されることにより後述の揺動規制部材３６の一部も構成している。
【００４９】
左固定部材３３は、左挟持板２５の前切欠部２５Ｃよりも上，下方向に長尺な板体として形成されている。図１５に示すように、左固定部材３３には、上端部と下端部にそれぞれねじ孔２５Ｅに対応して端部側ボルト挿通孔３３Ａが合計４個設けられている。また、左固定部材３３の長さ方向の中間部には、長さ方向に間隔をもって２個の中央側ボルト挿通孔３３Ｂが設けられている。この２個の中央側ボルト挿通孔３３Ｂの間隔寸法は、左ブラケット９を構成する左縦面板１２の各ねじ孔１２Ｃに対応している。
【００５０】
左固定部材３３によって左ブラケット９とアダプタ２４の左挟持板２５とを一体的に固定する場合には、アダプタ２４の左挟持板２５に設けた左前アダプタ側位置決め部位２９に対して左ブラケット９の左縦面板１２に設けた左前ブラケット側位置決め部位１３を左側から係合させると共に、左挟持板２５に設けた左上アダプタ側位置決め部位３０に対して左縦面板１２に設けた左上ブラケット側位置決め部位１４を左側から係合させる。この状態で、左前アダプタ側位置決め部位２９との間に左縦面板１２の前突出部１２Ａを挟むように、左固定部材３３を上，下方向に延びて配置する。そして、各端部側ボルト挿通孔３３Ａに挿通した締結部材としての固定ボルト３４を左挟持板２５のねじ孔２５Ｅに螺着することにより、左固定部材３３は、左ブラケット９とアダプタ２４の左挟持板２５とを一体的に固定することができる。
【００５１】
図７に示すように、右固定部材３５は、右前ブラケット側位置決め部位２０と右前アダプタ側位置決め部位３１とを互いに係合させると共に、右上ブラケット側位置決め部位２１と右上アダプタ側位置決め部位３２とを互いに係合させた状態で、右ブラケット１５をアダプタ２４の右挟持板２６に取付け、取外し可能に固定する固定部材を構成している。ここで、右固定部材３５は、前述した左固定部材３３と組合されることにより後述の揺動規制部材３６の一部も構成している。
【００５２】
右固定部材３５は、左固定部材３３と同様に、右挟持板２６の前切欠部２６Ｃよりも上，下方向に長尺な板体として形成されている。右固定部材３５には、４個の端部側ボルト挿通孔３５Ａと２個の中央側ボルト挿通孔３５Ｂが設けられている。
【００５３】
右固定部材３５によって右ブラケット１５とアダプタ２４の右挟持板２６とを一体的に固定する場合には、アダプタ２４の右挟持板２６に設けた右前アダプタ側位置決め部位３１に対して右ブラケット１５の右縦面板１８に設けた右前ブラケット側位置決め部位２０を右側から係合させると共に、右挟持板２６に設けた右上アダプタ側位置決め部位３２に対して右縦面板１８に設けた右上ブラケット側位置決め部位２１を右側から係合させる。この状態で、右前アダプタ側位置決め部位３１との間に右縦面板１８の前突出部１８Ａを挟むように、右固定部材３５を上，下方向に延びて配置する。そして、各端部側ボルト挿通孔３５Ａに挿通した固定ボルト３４を右挟持板２６のねじ孔２６Ｅに螺着することにより、右固定部材３５は、右ブラケット１５とアダプタ２４の右挟持板２６とを一体的に固定することができる。
【００５４】
図６に示すように、揺動規制部材３６は、フロント装置５（アダプタ２４）の取付け、取外し作業時に、他方のブラケットとなる左ブラケット９の揺動を規制するものである。揺動規制部材３６は、前述した左固定部材３３、各固定ボルト３４、右固定部材３５および後述のねじ座３７により構成されている。
【００５５】
図３、図４に示すように、ねじ座３７は、フロント支持部材７の上ピン孔７Ｅよりも後側に位置して上板７Ａの左側に一体的に固定されている。ねじ座３７は、上，下方向に扁平な台形状のブロック体として形成されている。ねじ座３７には、左側に開口するように２個のねじ孔３７Ａが前，後方向に間隔をもって設けられている。各ねじ孔３７Ａは、各固定部材３３，３５に設けられた各端部側ボルト挿通孔３３Ａ，３５Ａの間隔寸法に対応している。
【００５６】
ここで、揺動規制部材３６を組立てて、左ブラケット９の揺動を規制する場合の作業手順の一例について述べる。各固定ボルト３４を緩めてアダプタ２４から左固定部材３３と右固定部材３５を取外す。各固定部材３３，３５を取外したら、例えば、左固定部材３３を縦長に配置し、その上部をねじ座３７に左側から押し当て、この状態で上部側に位置する２個の端部側ボルト挿通孔３３Ａに挿通した固定ボルト３４をねじ孔３７Ａにそれぞれ螺着する。また、右固定部材３５を横長に配置して後部を、ねじ座３７に取付けた左固定部材３３の中央部に押し当てる。この状態で、右固定部材３５後部側に位置する２個の端部側ボルト挿通孔３５Ａと左固定部材３３の２個の中央側ボルト挿通孔３３Ｂにそれぞれ固定ボルト３４を挿通し、各固定ボルト３４にナット（図示せず）を螺着する。さらに、右固定部材３５の各中央側ボルト挿通孔３５Ｂに挿通した固定ボルト３４を左ブラケット９を構成する左縦面板１２の各ねじ孔１２Ｃに螺着する。これにより、揺動規制部材３６は、左ブラケット９の揺動を規制することができる。
【００５７】
揺動シリンダ３８は、右ブラケット１５と上部旋回体４の旋回フレーム６との間に前，後方向に延びて設けられている。揺動シリンダ３８は、基端側（チューブ側）が旋回フレーム６に取付けられ、先端側（ロッド側）が右ブラケット１５のシリンダ取付板１９に取付ピン３８Ａを介して取付けられている。揺動シリンダ３８は、フロント取付装置８を介してフロント装置５を左，右方向に揺動するものである。また、揺動シリンダ３８は、左，右のブラケット９，１５に対してアダプタ２４を脱着するときに、右ブラケット１５を揺動する動力源としても用いられる。
【００５８】
ブーム取付ピン３９は、アダプタ２４の各挟持板２５に設けたブーム用ピン孔２５Ｈ，２６Ｈに挿着されることにより、各挟持板２５間に配置されたフロント装置５を構成するブーム５Ａのフート部５Ａ１を俯仰動可能に支持するものである。
【００５９】
シリンダ取付ピン４０は、アダプタ２４の各挟持板２５に設けたシリンダ用ピン孔２５Ｇ，２６Ｇに挿着されることにより、各挟持板２５間に配置されたフロント装置５のブームシリンダ５Ｄの基端側を回動可能に支持するものである。
【００６０】
なお、上部旋回体４には、オペレータが着座する運転席４１が設けられている。運転席４１の左，右両側には、旋回装置３とフロント装置５を操作する作業用の操作レバー４２（左側のみ図示）が設けられている。また、運転席４１の前側には、走行用の操作レバー・ペダル４３が設けられている。さらに、上部旋回体４には、運転席４１の上方を覆うキャノピ４４が設けられている。
【００６１】
本実施の形態による油圧ショベル１は、上述の如き構成を有するもので、次に、その動作について説明する。
【００６２】
オペレータは、上部旋回体４上に搭乗し、運転席４１に着座する。この状態で、走行用の操作レバー・ペダル４３を操作することにより、下部走行体２を走行させることができる。一方、オペレータが左，右の作業用の操作レバー４２を操作することにより、上部旋回体４の旋回動作、フロント装置５による土砂の掘削作業等を行うことができる。
【００６３】
次に、油圧ショベル１は、高層住宅の上層階の解体作業に用いる場合には、エレベータに載せて移送できるように、上部旋回体４からフロント装置５を取外す。そこで、フロント装置５の取外し作業の一例について述べる。
【００６４】
フロント装置５の取外し作業では、アーム５Ｂとバケット５Ｃを折畳んだ状態でブーム５Ａを前側に倒し、アーム５Ｂの一部を接地させる。これがフロント装置５を取外したり、取付けたりするときの脱着姿勢の一例となる。
【００６５】
フロント装置５を脱着姿勢としたら、フロント取付装置８のアダプタ２４を支持台（図示せず）を用いて下側から支持する。また、上部旋回体４の制御弁群とフロント装置５の各シリンダ５Ｄ，５Ｅ，５Ｆとを接続している複数本の油圧管路（いずれも図示せず）を切離す。
【００６６】
次に、各固定ボルト３４を緩めてアダプタ２４から左固定部材３３と右固定部材３５を取外すことにより、左ブラケット９および右ブラケット１５とアダプタ２４との連結を解除する。
【００６７】
各固定部材３３，３５を取外したら、図６に示すように、各固定部材３３，３５を組立ててねじ座３７と左ブラケット９とを連結することにより、揺動規制部材３６によって左ブラケット９の揺動を規制する。この後に、図８に示すように、揺動シリンダ３８を縮小し、右ブラケット１５側の各ブラケット側位置決め部位２０，２１を、アダプタ２４の右挟持板２６側の各アダプタ側位置決め部位３１，３２から切離す。
【００６８】
右ブラケット１５をアダプタ２４の右挟持板２６から切離したら、図４に示すように、上部旋回体４を左回り（反時計回り）に僅かに回転させ、左ブラケット９側の各ブラケット側位置決め部位１３，１４を、アダプタ２４の左挟持板２５側の各アダプタ側位置決め部位２９，３０から切離す。左，右のブラケット９，１５とアダプタ２４とを切離したら、油圧ショベル１を後側に移動することにより、上部旋回体４からフロント装置５を取外すことができる。そして、油圧ショベル１とフロント装置５を別々にエレベータで移動したら、前述した作業手順と逆の手順で作業を行うことにより、フロント装置５を上部旋回体４に取付けることができる。
【００６９】
かくして、本実施の形態によれば、フロント取付装置８は、上部旋回体４のフロント支持部材７に対して上，下方向に延びる支持ピン２２，２３を介して左，右方向に揺動可能に設けられ、左前ブラケット側位置決め部位１３および左上ブラケット側位置決め部位１４を有する左ブラケット９と、左ブラケット９と左，右方向で対面する位置に支持ピン２２，２３を介してフロント支持部材７に左，右方向に揺動可能に設けられ、右前ブラケット側位置決め部位２０および右上ブラケット側位置決め部位２１を有する右ブラケット１５と、左ブラケット９と右ブラケット１５との間に挟まれると共にフロント装置５が回動可能に取付けられるアダプタ２４と、アダプタ２４の左，右両側に設けられ左，右のブラケット側位置決め部位１３，１４，２０，２１にそれぞれ係合される左，右のアダプタ側位置決め部位２９，３０，３１，３２と、左，右のブラケット側位置決め部位１３，１４，２０，２１と左，右のアダプタ側位置決め部位２９，３０，３１，３２とを互いに係合させた状態で、左ブラケット９、右ブラケット１５をアダプタ２４にそれぞれ取付け、取外し可能に固定する左固定部材３３、右固定部材３５とを備えている。
【００７０】
従って、上部旋回体４からフロント装置５を取外す場合には、例えばアダプタ２４を所定の高さ位置に支持する支持台（図示せず）に載せる。次に、各ブラケット９，１５から各固定部材３３，３５を取外した後、左ブラケット９と右ブラケット１５をアダプタ２４から離れる方向に回動させる。これにより、上部旋回体４からフロント装置５を取外すことができる。一方、フロント装置５の取外し手順と逆の手順で作業を行うことにより、フロント装置５を上部旋回体４に取付けることができる。
【００７１】
この結果、クレーン等の昇降装置が無い作業現場でも、上部旋回体４のフロント取付装置７に対するフロント装置５の脱着作業を容易に行うことができる。特に、アダプタ２４を左，右のブラケット９，１５によって挟むことにより、アダプタ２４と左，右のブラケット９，１５とを連結する構成としている。これにより、ピン孔に対するピンの抜き差しによって脱着する場合に比較し、フロント装置５の正確な位置決めや安定的な姿勢の保持を必要としない。このため、短時間で簡単にフロント装置５を脱着することができる。
【００７２】
また、フロント取付装置８は、左ブラケット９をアダプタ２４に固定する左固定部材３３と、右ブラケット１５をアダプタ２４に固定する右固定部材３５とを備えている。これにより、フロント装置５を上部旋回体４に対して確実に取付けることができ、作業時の信頼性を高めることができる。
【００７３】
右ブラケット１５と上部旋回体４との間には、フロント装置５を左，右方向に揺動するための揺動シリンダ３８が設けられている。この上で、左ブラケット９と上部旋回体４との間には、フロント装置５の取付け、取外し作業時に、左ブラケット９の揺動を規制する揺動規制部材３６が設けられている。従って、右ブラケット１５は、揺動シリンダ３８を動力源として、左ブラケット９と独立して揺動することができる。これにより、揺動シリンダ３８を用いてフロント装置５の脱着作業を容易に行うことができる。
【００７４】
左ブラケット９は、水平方向に延びて各支持ピン２２，２３に接続された左横面板１０，１１と、左横面板１０，１１に上，下方向に延びて取付けられた左縦面板１２とからなる。また、右ブラケット１５は、水平方向に延びて支持ピン２２，２３に接続された右横面板１６，１７と、左ブラケット９の左縦面板１２と対面するように右横面板１６，１７に上，下方向に延びて取付けられた右縦面板１８とからなる。さらに、左縦面板１２と右縦面板１８とには、互いに対面する内側面に位置して各ブラケット側位置決め部位１３，１４，２０，２１がそれぞれ設けられている。これにより、左，右のブラケット９，１５は、簡単な構成でフロント支持部材７に揺動可能に取付けることができる。
【００７５】
アダプタ２４は、フロント装置５を構成するブーム５Ａのフート部５Ａ１を挟んで対面する左挟持板２５および右挟持板２６と、左，右の挟持板２５，２６を間隔をもって連結する連結部材２７，２８と、左挟持板２５および右挟持板２６にそれぞれ設けられた左，右のアダプタ側位置決め部位２９，３０，３１，３２とを備えている。これにより、アダプタ２４を、強固に、かつ簡単な構成で設けることができる。
【００７６】
さらに、左，右の固定部材３３，３５は、上，下方向に長尺な板体からなり、左，右のアダプタ側位置決め部位２９，３１との間に左，右のブラケット９，１５を挟んだ状態でアダプタ２４に対して固定ボルト３４を用いて取付け、取外し可能に取付けられる構成となっている。これにより、固定部材３３，３５を、簡単に設けることができ、固定ボルト３４によって容易に取付け、取外しすることができる。
【００７７】
次に、図１６および図１７は本発明の第２の実施の形態を示している。本実施の形態の特徴は、左，右の固定部材は、左，右のブラケットにそれぞれ一体的に設けられ、かつ左，右の固定部材は、アダプタに対して締結部材を用いてそれぞれ取付け、取外し可能に取付けられる構成としたことにある。なお、本実施の形態では、前述した第１の実施の形態と同一の構成要素に同一の符号を付し、その説明を省略するものとする。
【００７８】
図１６、図１７において、第２の実施の形態によるフロント取付装置５１は、第１の実施の形態によるフロント取付装置８とほぼ同様に構成されている。第２の実施の形態によるフロント取付装置５１は、後述する左上固定部材５２、左下固定部材５３、右上固定部材５４、右下固定部材５５を備えている。
【００７９】
図１６に示すように、左上固定部材５２は、後述の左下固定部材５３と共に左固定部材を構成している。左上固定部材５２は、左ブラケット９を構成する左縦面板１２の前突出部１２Ａの上部に、当該前突出部１２Ａから上側に突出して設けられている。左上固定部材５２は、長方形状の板体からなり、その下側部位が例えば溶接、ねじ止め等の手段を用いて前突出部１２Ａに一体的に固着されている。また、左上固定部材５２の上側部位には、アダプタ２４を構成する左挟持板２５のねじ孔２５Ｅに対応して２個のボルト挿通孔（図示せず）が設けられている。なお、第２の実施の形態では、溶接手段を用いて一体的に固着した場合を図示している。
【００８０】
左下固定部材５３は、左上固定部材５２と上，下方向で対称形状をなしている。左下固定部材５３は、左縦面板１２の前突出部１２Ａの下部から下側に突出した長方形状の板体として形成されている。左下固定部材５３は、その上側部位が例えば溶接、ねじ止め等の手段を用いて前突出部１２Ａに一体的に固着され、下側部位に２個のボルト挿通孔（図示せず）が設けられている。
【００８１】
左上固定部材５２と左下固定部材５３によって左ブラケット９とアダプタ２４の左挟持板２５とを一体的に固定する場合には、アダプタ２４の左挟持板２５に設けた左前アダプタ側位置決め部位２９に対して左ブラケット９の左縦面板１２に設けた左前ブラケット側位置決め部位１３を左側から係合させると共に、左挟持板２５に設けた左上アダプタ側位置決め部位３０に対して左縦面板１２に設けた左上ブラケット側位置決め部位１４を左側から係合させる。この状態で、各固定部材５２，５３のボルト挿通孔に挿通した固定ボルト３４を左挟持板２５の各ねじ孔２５Ｅに螺着する。これにより、各固定部材５２，５３は、左ブラケット９とアダプタ２４の左挟持板２５とを一体的に固定することができる。
【００８２】
図１７に示すように、右上固定部材５４と右下固定部材５５は、左上固定部材５２と左下固定部材５３と同様に構成されている。即ち、右上固定部材５４と右下固定部材５５によって右ブラケット１５とアダプタ２４の右挟持板２６とを一体的に固定する場合には、アダプタ２４の右挟持板２６に設けた右前アダプタ側位置決め部位３１に対して右ブラケット１５の右縦面板１８に設けた右前ブラケット側位置決め部位２０を右側から係合させると共に、右挟持板２６に設けた右上アダプタ側位置決め部位３２に対して右縦面板１８に設けた右上ブラケット側位置決め部位２１を右側から係合させる。この状態で、各固定部材５４，５５は、固定ボルト３４を用いて左ブラケット９とアダプタ２４の左挟持板２５とを一体的に固定することができる。
【００８３】
かくして、このように構成された第２の実施の形態でも、前述した第１の実施の形態と同様の効果を得ることができる。特に、第２の実施の形態によれば、各固定部材５２〜５５は、各ブラケット９，１５に一体的に固着しているから、各ブラケット９，１５とアダプタ２４とを簡単な作業で一体的に固定することができる。また、各固定部材５２〜５５の紛失や損傷を抑制することができる。
【００８４】
次に、図１８は本発明の第３の実施の形態を示している。本実施の形態の特徴は、揺動規制部材を、旋回フレーム側に設けられた取付部と、左ブラケット側に設けられた係合部と、基端側が取付部に取付けられ、先端側が係合部に係合可能なフックとにより構成したことにある。なお、本実施の形態では、前述した第１の実施の形態と同一の構成要素に同一の符号を付し、その説明を省略するものとする。
【００８５】
図１８において、第３の実施の形態によるフロント取付装置６１は、第１の実施の形態によるフロント取付装置８とほぼ同様に構成されている。第３の実施の形態によるフロント取付装置６１は、後述する揺動規制部材６２を備えている。
【００８６】
第３の実施の形態による揺動規制部材６２は、フロント支持部材７の上ピン孔７Ｅよりも後側に位置して旋回フレーム６の上面板６Ｄの左側に設けられた取付部６３と、取付部６３から後述するフック６６の長さ寸法だけ右側に離れた上面板６Ｄの右側に設けられた待機部６４と、左ブラケット９の左横面板１０に設けられたピン孔１０Ａの左側に位置して左横面板１０に設けられた係合部６５と、基端側が取付部６３の取付穴６３Ａに取付けられ、先端側が係合部６５の係合穴６５Ａに係合可能な棒状のフック６６とにより構成されている。また、待機部６４には、左ブラケット９の揺動を規制していない揺動規制部材６２の待機時に、フック６６ががたつかないように、先端側が係合される待機穴６４Ａが設けられている。
【００８７】
揺動規制部材６２は、例えば、揺動可能なフロント装置５をブーム５Ａが前側を向くように配置した状態で、フック６６の先端側を待機部６４の待機穴６４Ａから取外し、二点鎖線で示すように、フック６６の先端側を係合部６５の係合穴６５Ａに差し込んで係合させる。これにより、揺動規制部材６２は、左ブラケット９の揺動を規制することができる。
【００８８】
かくして、このように構成された第３の実施の形態でも、前述した第１の実施の形態と同様の効果を得ることができる。特に、第３の実施の形態によれば、棒状のフック６６の先端側を係合部６５の係合穴６５Ａに差し込むという簡単な構成で左ブラケット９の揺動を規制することができる。
【００８９】
なお、第１の実施の形態では、各ブラケット側位置決め部位１３，１４，２０，２１を、上，下方向に延びる円弧状の凹溝として形成し、各ブラケット側位置決め部位１３，１４，２０，２１に係合する各アダプタ側位置決め部位２９，３０，３１，３２を、上，下方向に延びる円柱体として形成した場合を例示している。しかし、本発明はこれに限らず、例えば、各ブラケット側位置決め部位を円柱体として形成し、各アダプタ側位置決め部位２９，３０，３１，３２を円弧状の凹溝として形成する構成としてもよい。これ以外にも、三角形状の凹溝からなる位置決め部位に、角柱からなる位置決め部位を係合させる構成としてもよい。即ち、前，後方向ないし上，下方向に位置決め状態で固定できる凹凸嵌合構造であれば、各位置決め部位の形状は、上述したものに限定されるものではない。これらの構成は、他の実施の形態にも同様に適用することができる。
【００９０】
第１の実施の形態では、揺動シリンダ３８を、フロント支持部材７の右側に設け、揺動シリンダ３８をフロント取付装置８の右ブラケット１５のシリンダ取付板１９に取付けた場合を例に挙げて説明した。しかし、本発明はこれに限るものではなく、揺動シリンダを、フロント支持部材の左側に設け、揺動シリンダをフロント取付装置の左ブラケットのシリンダ取付板に取付ける構成としてもよい。この場合、揺動規制部材は、右ブラケットの揺動を規制する構成とすればよい。これらの構成は、他の実施の形態にも同様に適用することができる。
【００９１】
各実施の形態では、運転席４１の上方を覆うキャノピ４４を備えたキャノピ仕様の油圧ショベル１を例に挙げて説明した。しかし、本発明はこれに限るものではなく、運転席４１の周囲と上方を覆うキャブボックスが設けられたキャブ仕様の油圧ショベル１に適用してもよい。
【００９２】
さらに、各実施の形態では、クローラ式の下部走行体２を備えた小型の油圧ショベル１を例に挙げて説明した。しかし、本発明はこれに限るものではなく、例えば、ホイール式の油圧ショベルに適用してもよい。また、フロント装置が揺動可能に設けられた中型の油圧ショベルに適用してもよい。
【符号の説明】
【００９３】
１  油圧ショベル
２  下部走行体
４  上部旋回体
５  フロント装置
５Ａ  ブーム
５Ａ１  フート部
６  旋回フレーム
７  フロント支持部材
８，５１，６１  フロント取付装置
９  左ブラケット
１０，１１  左横面板
１２  左縦面板
１３  左前ブラケット側位置決め部位（左ブラケット側位置決め部位）
１４  左上ブラケット側位置決め部位（左ブラケット側位置決め部位）
１５  右ブラケット
１６，１７  右横面板
１８  右縦面板
２０  右前ブラケット側位置決め部位（右ブラケット側位置決め部位）
２１  右上ブラケット側位置決め部位（右ブラケット側位置決め部位）
２２  上支持ピン（支持ピン）
２３  下支持ピン（支持ピン）
２４  アダプタ
２５  左挟持板
２６  右挟持板
２７  上連結部材（連結部材）
２８  下連結部材（連結部材）
２９  左前アダプタ側位置決め部位（左アダプタ側位置決め部位）
３０  左上アダプタ側位置決め部位（左アダプタ側位置決め部位）
３１  右前アダプタ側位置決め部位（右アダプタ側位置決め部位）
３２  右上アダプタ側位置決め部位（右アダプタ側位置決め部位）
３３  左固定部材（固定部材）
３４  固定ボルト（締結部材）
３５  右固定部材（固定部材）
３６，６２  揺動規制部材
３８  揺動シリンダ
５２  左上固定部材（固定部材）
５３  左下固定部材（固定部材）
５４  右上固定部材（固定部材）
５５  右下固定部材（固定部材）
【図１】
2019065520.tif 000003
【図２】
2019065520.tif 000004
【図３】
2019065520.tif 000005
【図４】
2019065520.tif 000006
【図５】
2019065520.tif 000007
【図６】
2019065520.tif 000008
【図７】
2019065520.tif 000009
【図８】
2019065520.tif 000010
【図９】
2019065520.tif 000011
【図１０】
2019065520.tif 000012
【図１１】
2019065520.tif 000013
【図１２】
2019065520.tif 000014
【図１３】
2019065520.tif 000015
【図１４】
2019065520.tif 000016
【図１５】
2019065520.tif 000017
【図１６】
2019065520.tif 000018
【図１７】
2019065520.tif 000019
【図１８】
2019065520.tif 000020